(57)【要約】      （修正有）【課題】金属アレルギーの発生を抑え、磁力線乃至マイナスイオン（ネガティブイオン）効果及びその持続性の高い健康磁気装身具を得る。【解決手段】ボンド磁石にして組成体を紐状に成型して、着磁の方向は、その芯方向と直交する方向であって磁極が芯と平行に直線状、又は、芯を中心に螺旋状になるように着磁した紐状ボンド磁石に、その上に動物又は人工の皮革、動植物又は高分子樹脂の繊維、糸などの有機物質からなる美麗な筒状被覆体で被覆したので、金属が直接体表面に触れることがなく、金属アレルギー症状を起こすことがなく、また連続して比較的に一様な磁力線を直接体表面に与えるようにせしめたので、さらに磁気効果を向上すると共にメガネ、或は、首の周りに洒落たアクセサリーを得ることができる。【選択図】図１
0003128707.tif 000002
【実用新案登録請求の範囲】
【請求項１】
ボンド磁石（成分組成が希土類系乃至フェライト系若しくは希土類とフェライトのハイブリット磁石を特徴とする組成体）を紐状に成型し、その芯方向と直交する方向であって、磁極の配列が芯と平行に直線状乃至芯を中心に螺旋状になるように着磁し、有機物質からなる筒状被覆体で被覆したことを特徴とする紐状磁気装身具。
【請求項２】
有機物質からなる（組成物質が動物乃至人工の皮革、又は動植物乃至高分子樹脂の繊維、糸、布地、或いは高分子樹脂のシート若しくは、スチレン乃至スチロール等のチューブから成る）筒状被覆体を被覆したことを特徴とする「請求項１」記載の紐状磁気装身具。
【請求項３】
有機物質からなる筒状体（組成物質がスチレン乃至スチロール等のチューブ）に静電植毛を施したものから成る、筒状被覆体を被覆したことを特徴とする「請求項１」記載の紐状磁気装身具。
【請求項４】
磁性体の持つ磁束密度が筒状被覆体の表面に於いて約３５０〜１００ｍＴ（約３５０〜１０００Ｇａｕｓｓ）である事と約５００〜３０００個マイナスイオン（ネガティブイオン）放出す事を特徴とする「請求項１」記載の紐状磁気装身具。
【請求項５】
ボンド磁石にして、特殊な結合状態にある有機無機化合物の存在下で、その組成体に微量放射性物質で、法規制３７０Ｂｑ毎グラム以内であり、ラジウム・セレニウム・トリウム・カリウム・炭素ほか微量元素のコバルト・ゲルマニウムの何れか１種類乃至２種類以上の微細パウダーを含み、是より発現する、微量放射線ホルミシス（ｈｏｒｍｅｓＩｓ：ギリシャ語で刺激）及び自然環境と同等で理想的な数値のマイナスイオン（ネガティブイオン）が、１ｃｍ３当たり約５００〜３０００個、放出していることと、さらにトルマリン鉱石微細パウダーを成分組成に加えて遠赤外線効果をさらに発現せしめたことを特徴とする「請求項１」記載の紐状磁気装身具。
【考案の詳細な説明】
【技術分野】
【０００１】  当該考案は、磁石より発生する磁力線及び機能性イオンを応用した健康磁気装身具に関する。
【背景技術】
【０００２】  従前から磁石を応用した健康磁気装身具は多数存在するが、いずれも棒状又は球状の固体磁石を適当な方法で、例えば鎖等で繋ぎ合わせ接続具に装飾などを施して取り付けたものや、美しく見せるために鍍金または塗装されていた。
【考案の開示】
【０００３】  当該考案は、紐状ボンド磁石にしてその成分組成が希土類系乃至フェライト系、若しくは希土類とフェライトのハイブリット磁石を用い、その組成体に法規制３７０Ｂｑ毎グラム以内で微量放射性物質のラジウム・セレニウム・トリウム・カリウム・炭素ほか微量元素のコバルト・ゲルマニウムの何れか１種類乃至２種類以上の微細パウダーを含み、これより発現する微量放射線ホルミシス（ｈｏｒｍｅｓＩｓ：ギリシャ語で刺激）は、生体を刺激し各種ホルモンの分泌を促し、生体機能の増進や細胞賦活作用をもち、恒常性維持機能（ホメオスターシス）を向上させる働きがある。他にも自然環境と同等で理想的な数値であるマイナスイオン（ネガティブイオン）が、１ｃｍ３当たり約５００〜３０００個、放出していることと、さらにトルマリン微細パウダー及び無機ゲルマニウムを成分組成に加えて特殊混練技術により結合させたので遠赤外線効果をさらに発現せしめたことを特徴とした。この組成体を有機物質の筒状被覆体で被覆したから従前の健康磁気装身具のような金属が、直接体表面に触れることがなく、したがって金属アレルギーを起こすことを無くすことができる。また磁力を適度の強さとし一様に近い磁力線が連続して体表面に当たるようにせしめたので、マイナスイオン効果も含め磁気の効能を更に向上することができることを奏する。
【考案が解決しようとする課題】
【０００４】  塗装したものは別として鍍金したものは表面が金、又はプラチナなどの金属であり、皮膚の弱い特異体質の人々に対しては金属アレルギー症状を引き起こす事もあり、また焼結合金の磁石を用いるため磁束保持力が弱く磁力の持続性が無く磁気効果が低下しやすかった。また磁力線が体表面に当たるのは局所的であり、その効果も局所的で十分な効果が得られなかった。よって当該考案は、これらの問題点を解決する為になされたものであって、その目的は金属アレルギーの発生を抑え、磁力線及びマイナスイオン効果及びその持続性の高い健康磁気装身具を得ようとするものである。
【課題を解決するための手段】
【０００５】  当該考案は、紐状に成型し、その芯方向と直交する方向であって磁極の配列が芯と平行に又は芯を中心に螺旋状になるように着磁し、有機物質からなる筒状被覆体で被覆したことを特徴とする。そして磁力線の強さが筒状被覆体の表面に於いて約３５〜１００ｍＴ（約３５０〜１０００Ｇａｕｓｓ）である事と、約５００〜３０００個のマイナスイオン（ネガティブイオン）を放出し、有機物質の筒状被覆体が動物又は人工の皮革、動植物又は高分子樹脂の繊維、糸、布地、或いは高分子樹脂のシート、これらに静電植毛を施したものから成る、筒状被覆体を被覆したことを特徴とする。従来品の健康磁気装身具のように金属が、直接体表面に触れることがなく、したがって金属アレルギーを起こすことを無くすことができる。また磁力を適度の強さとし、また一様に近い磁力線が連続して体表面に当たるようにせしめたので、マイナスイオン効果も含め磁気の効能を更に向上することができる。
【考案の効果】
【０００６】  当該考案は、上記したような構成になっており、紐状ボンド磁石にして、その成分組成が希土類系乃至フェライト系若しくは希土類とフェライトのハイブリット磁石を特徴とする組成体に有機物質の筒状被覆体で被覆したから、従前より磁石を応用した健康磁気装身具は多数存在するが、従来品のような金属が直接体表面に触れることがなく、したがって金属アレルギーを起こすことを無くすことができる。また磁力を適度の強さとし、一様に近い磁力線が連続して体表面に当たるようにせしめたので、マイナスイオン効果も含め磁力線の効能を更に向上することができることを奏する。
【考案の実施するための最良の形態】
【０００７】  当該考案は、紐状に成型されたボンド磁石であり断面は円形乃至それに近い楕円形である。その成分組成が希土類系乃至フェライト系若しくは希土類とフェライトのハイブリット系を特徴とする、組成材料を混練押し出し機等で押し出して紐状に成型し、磁極の配列が芯と直交する方向であって、芯と平行に又は芯を中心に螺旋状になるように着磁する。磁力線の強さ及びマイナスイオン（ネガティブイオン）の発生量は後記する当該考案、「実施例１」の表面磁束で１ｃｍ３当たり約３５〜１００ｍＴ（約３５０〜１０００Ｇａｕｓｓ）及び１ｃｍ３当たり約５００〜３０００個マイナスイオン放出とする。磁極の配列は紐の芯に対し平行な直線状でも良いが、螺旋状とすれば紐の体表面に当たる位置によって磁力線の強さは比較的に変化が少なく、蝶旋状にすることが望ましい。
【実施例１】
【０００８】  当該考案の実施例を表現したもので、下記の例によって該考案が実施例だけに限定されるものではない。【０００９】  図１は、紐状に成型されたボンド磁石に有機物質よりなる筒状被覆体を被覆した（１）実施例の簡易ネクタイに装着した紐状健康磁気装身具の外観正面図である。
【実施例２】
【００１０】  図２は、該考案の（２）実施例の紐ネクタイの正面図である。
【実施例３】
【００１１】  図３は、該考案の（３）実施例のメガネ首掛け用磁気装身具の外観斜視図である。
【図面の簡単な説明】
【００１２】  １は、紐状に成型されたボンド磁石であり断面は円形乃至楕円形である。その成分組成が希土類系乃至フェライト系、若しくは希土類とフェライトのハイブリット系、乃至サマリウムコバルト系磁石を特徴とする組成材料を混練押し出し機等で押し出して紐状に成型し、着磁の方向は芯と直交する方向であって、磁極の配列が芯と平行に、又は、芯を中心に螺旋状になるように着磁する。磁力線の強さ及びマイナスイオン（ネガティブイオン）発生量は、後記する筒状被覆体に通したときに、その筒状被覆体の表面磁束で約３５〜１００ｍＴ（約３５０〜１０００Ｇａｕｓｓ）及びマイナスイオン約５００〜３０００個放出とする。磁極の配列は紐の芯に対し平行な直線状でも良いが、螺旋状とすれば、紐の体表面にあたる位置によって磁力線の強さは比較的に変化が少なく、蝶旋状にすることが望ましい。【００１３】  図１に於いて、１は、繊維・糸等を編んだ筒状被覆体に通した、紐状に成型されたボンド磁石である。筒状被覆体の素材の糸は、種々の色に着色した糸でもよい。また金属アレルギーで無い方達の為には、金糸銀糸を混ぜても良い。また高分子樹脂、例えば、ナイロン、ポリエステルその他の繊維や糸でもよいし、スチレンやスチロール等のチューブに静電植毛を施したものであってもよい。【００１４】  図２に於いて、３は留め具で首のサイズに合わせ調整が出来る様に、１筒状被覆体に通した紐状ボンド磁石であり、筒状被覆体の両端をクランプし飾り具５を取り付けたもので、当該考案の（２）実施例の紐ネクタイである。【００１５】  図３に於いて、当該考案の（３）実施例のメガネ首掛け用磁気装身具の外観斜視図でありメガネ４に、装着した１は、繊維・糸等を編んだ筒状被覆体に通した紐状に成型されたボンド磁石である。筒状被覆体の素材の糸は、種々の色に着色した糸でもよい。また金属アレルギーで無い方達の為には、金糸銀糸を混ぜても良い。また高分子樹脂、例えば、ナイロン、ポリエステルその他の繊維や糸でもよいし、スチレンやスチロール等のチューブに静電植毛を施したものであってもよい。このようにして、金属が直接体表面に触れることがないので、金属アレルギー症を起こすことを防止することができ、お洒落感覚の健康磁気装身具を得ることができる。
【符号の説明】
【００１９】  １  筒状被覆体に通した紐状に成型されたボンド磁石
２  簡易ネクタイ
３  留め具
４  メガネ
５  装着用飾り具
【図１】
0003128707.tif 000003
【図２】
0003128707.tif 000004
【図３】
0003128707.tif 000005
【手続補正書】
【提出日】平成18年8月30日(2006.8.30)
【手続補正１】
【補正対象書類名】実用新案登録請求の範囲
【補正対象項目名】全文
【補正方法】変更
【補正の内容】
【実用新案登録請求の範囲】
【請求項１】
ボンド磁石にして、成分組成が希土類系乃至フェライト系若しくは希土類とフェライトのハイブリット磁石を特徴とする組成体を紐状に成型し、その芯方向と直交する方向であって、磁極の配列が芯と平行に直線状乃至芯を中心に螺旋状になるように着磁し、有機物質からなる筒状被覆体で被覆したことを特徴とする紐状磁気装身具。
【請求項２】
有機物質からなる被覆体で、組成物質が動物乃至人工の皮革、又は動植物乃至高分子樹脂の繊維、糸、布地、或いは高分子樹脂のシート若しくは、スチレン乃至スチロール等のチューブから成る筒状被覆体を被覆したことを特徴とする請求項１に記載の紐状磁気装身具。
【請求項３】
有機物質からなる被覆体で組成物質がスチレン乃至スチロール等のチューブに静電植毛を施したものから成る、筒状被覆体を被覆したことを特徴とする請求項１に記載の紐状磁気装身具。
【請求項４】
磁性体の持つ磁束密度が筒状被覆体の表面に於いて約３５〜１００ｍＴである事と約５００〜３０００個マイナスイオン放出す事を特徴とする請求項１に記載の紐状磁気装身具。
【請求項５】
ボンド磁石にして、特殊な結合状態にある有機無機化合物の存在下で、その組成体に微量放射性物質で法規制３７０ベクレル／毎秒、以内であり、ラジウム・セレニウム・トリウム・カリウム・炭素ほか微量元素のコバルト・ゲルマニウムの何れか１種類乃至２種類以上の微細パウダーを含み、是より発現する微量放射線ホルミシス、及び自然環境と同等で理想的な数値のネガティブイオンが、１ｃｍ３当たり約５００〜３０００個、放出している、さらに、トルマリン鉱石微細パウダーを成分組成に加えて遠赤外線効果をさらに発現せしめたことを特徴とする請求項１に記載の紐状磁気装身具。
【手続補正２】
【補正対象書類名】明細書
【補正対象項目名】００１２
【補正方法】変更
【補正の内容】
【００１２】
【図１】は、第１実施例を示す簡易ネクタイの正面図である。
【手続補正３】
【補正対象書類名】明細書
【補正対象項目名】００１３
【補正方法】変更
【補正の内容】
【００１３】
【図２】は、第２実施例を示す紐ネクタイの正面図である。
【手続補正４】
【補正対象書類名】明細書
【補正対象項目名】００１４
【補正方法】変更
【補正の内容】
【００１４】
【図３】は、第３実施例を示すメガネ首掛け紐の斜視図である。
【手続補正５】
【補正対象書類名】明細書
【補正対象項目名】００１５
【補正方法】削除
【補正の内容】
【手続補正６】
【補正対象書類名】明細書
【補正対象項目名】００１９
【補正方法】変更
【補正の内容】
【００１９】１    紐状成型ボンド磁石２    ネクタイ３    留め具４    メガネ５    装着用止め飾具